(57)【特許請求の範囲】
【請求項１】
巻取り付勢手段により付勢巻取り動作をするリールを備え、一方の側に一方側コード引き出し部を有し、他方の側に他方側コード引き出し部を有してなる巻取り装置と、
前記リールに巻き取られて前記一方側コード引き出し部から引き出される一方側電線コードと、
この一方側電線コードと同一電線コードからなる、あるいは電気的に接続された、前記リールに巻き取られて前記他方側コード引き出し部から引き出される他方側電線コードと、
前記一方側電線コードの端側に設けられた、電子機器装置の機器側接続端子に接続されるコード側接続端子と、
前記一方側電線コードの前記コード側接続端子から離れた距離Ｌ位置に固定されて設けられた、後付けで固定できるように別体で添付された、あるいは移動可能で好みの位置に固定状態とできる形態で設けられた前記巻取り装置に非連結形態であるコード側取付け手段支持部と、
このコード側取付け手段支持部に設けられた、あるいは添付されて前記コード側取付け手段支持部に後付で取り付けることができる形態の、前記一方側電線コードを前記電子機器装置の機器側取付け部に取付け状態とするための取付け手段と、
前記巻取り装置に巻き取られない前記距離Ｌからなる機器接続負荷無しコード部分とからなるとともに、
前記機器側接続端子に前記コード側接続端子を接続し、かつ、前記機器側取付け部に前記取付け手段を取付けた状態にあっては、前記距離Ｌと前記機器側取付け部から前記コード側取付け手段支持部までの前記取付け手段の距離Ｓの関係が、引っ張り負荷を加えても常に前記取付け手段に負荷がかかり、前記機器接続負荷無しコード部分およびコード側接続端子には前記引張り負荷がかからない距離関係である、あるいは前記負荷がかからない距離関係にできるものであり、
前記電子機器装置の前記機器側取付け部が紐を通すための機器側紐通し取付け孔であり、前記取付け手段が紐部材であって、前記機器側紐通し取付け孔に前記紐部材を折り合わせ形態で通して、通り抜けた部分で潜らせループを形成し、この潜らせループに止め手段を通して前記紐部材を前記機器側紐通し取付け孔から抜けないように取付け、かつ、広げた前記潜らせループから前記止め手段を外すことができるものであことを特徴とする電線コード巻取り装置。
【請求項２】
巻取り付勢手段により付勢巻取り動作をするリールを備え、一方の側に一方側コード引き出し部を有し、他方の側に他方側コード引き出し部を有してなる巻取り装置と、
前記リールに巻き取られて前記一方側コード引き出し部から引き出される一方側電線コードと、
この一方側電線コードと同一電線コードからなる、あるいは電気的に接続された、前記リールに巻き取られて前記他方側コード引き出し部から引き出される他方側電線コードと、
前記一方側電線コードの端側に設けられた、電子機器装置の機器側接続端子に接続されるコード側接続端子と、
前記一方側電線コードの前記コード側接続端子から離れた距離Ｌ位置に固定されて設けられた、後付けで固定できるように別体で添付された、あるいは移動可能で好みの位置に固定状態とできる形態で設けられた前記巻取り装置に非連結形態であるコード側取付け手段支持部と、
このコード側取付け手段支持部に設けられた、あるいは添付されて前記コード側取付け手段支持部に後付で取り付けることができる形態の、前記一方側電線コードを前記電子機器装置の機器側取付け部に取付け状態とするための取付け手段と、
前記巻取り装置に巻き取られない前記距離Ｌからなる機器接続負荷無しコード部分とからなるとともに、
前記機器側接続端子に前記コード側接続端子を接続し、かつ、前記機器側取付け部に前記取付け手段を取付けた状態にあっては、前記距離Ｌと前記機器側取付け部から前記コード側取付け手段支持部までの前記取付け手段の距離Ｓの関係が、引っ張り負荷を加えても常に前記取付け手段に負荷がかかり、前記機器接続負荷無しコード部分およびコード側接続端子には前記引張り負荷がかからない距離関係である、あるいは前記負荷がかからない距離関係にできるものであり、
前記電子機器装置の前記機器側取付け部が紐を通すための機器側紐通し取付け孔であり、前記取付け手段が前記他方をコード側取付け手段支持部に固定された非ループの一本紐部材、その先端側に設けられた前記機器側紐通し取付け孔を通らない形態の抜止めストッパーとからなるとともに、前記機器側紐通し取付け孔に前記一本紐部材を折り合わせ形態で通して、通り抜けた部分で潜らせループを形成し、この潜らせループに前記抜止めストッパーを潜らせ通した状態として、前記潜らせループを絞めることによって該抜止めストッパーが該潜らせループから抜けない締め状態として取付けることを特徴とする電線コード巻取り装置。
【請求項３】
巻取り付勢手段により付勢巻取り動作をするリールを備え、一方の側に一方側コード引き出し部を有し、他方の側に他方側コード引き出し部を有してなる巻取り装置と、
前記リールに巻き取られて前記一方側コード引き出し部から引き出される一方側電線コードと、
この一方側電線コードと同一電線コードからなる、あるいは電気的に接続された、前記リールに巻き取られて前記他方側コード引き出し部から引き出される他方側電線コードと、
前記一方側電線コードの端側に設けられた、電子機器装置の機器側接続端子に接続されるコード側接続端子と、
前記一方側電線コードの前記コード側接続端子から離れた距離Ｌ位置に固定されて設けられた、後付けで固定できるように別体で添付された、あるいは移動可能で好みの位置に固定状態とできる形態で設けられた前記巻取り装置に非連結形態であるコード側取付け手段支持部と、
このコード側取付け手段支持部に設けられた、あるいは添付されて前記コード側取付け手段支持部に後付で取り付けることができる形態の、前記一方側電線コードを前記電子機器装置の機器側取付け部に取付け状態とするための取付け手段と、
前記巻取り装置に巻き取られない前記距離Ｌからなる機器接続負荷無しコード部分とからなるとともに、
前記機器側接続端子に前記コード側接続端子を接続し、かつ、前記機器側取付け部に前記取付け手段を取付けた状態にあっては、前記距離Ｌと前記機器側取付け部から前記コード側取付け手段支持部までの前記取付け手段の距離Ｓの関係が、引っ張り負荷を加えても常に前記取付け手段に負荷がかかり、前記機器接続負荷無しコード部分およびコード側接続端子には前記引張り負荷がかからない距離関係である、あるいは前記負荷がかからない距離関係にできるものであり、
前記電子機器装置の前記機器側取付け部が紐を通すための機器側紐通し取付け孔であり、前記コード側取付け手段支持部に紐を通すためのコード側紐通し取付け孔を設け、前記取付け手段を一本紐部材、この一本紐部材の一方の端側に設けられた前記機器側紐通し取付け孔を通らない形態である一方の抜止めストッパー、他方の端側に設けられた前記コード側紐通し取付け孔を通らない形態である他方の抜止めストッパーとからなるとともに、前記機器側紐通し取付け孔に前記一本紐部材を折り合わせ形態で通して、通り抜けた部分で一方の潜らせループを形成し、この一方の潜らせループに前記一方の抜止めストッパーを潜らせ通した状態として、前記一方の潜らせループを絞めることによって該一方の抜止めストッパーが該一方の潜らせループから抜けない締め状態として取付け、前記コード側紐通し取付け孔に前記一本紐部材を折り合わせ形態で通して、通り抜けた部分で他方の潜らせループを形成し、この他方の潜らせループに前記他方の抜止めストッパーを潜らせ通した状態として、前記他方の潜らせループを絞めることによって該他方の抜止めストッパーが該他方の潜らせループから抜けない締め状態として取付けることを特徴とする電線コード巻取り装置。
【発明の詳細な説明】
【技術分野】
【０００１】
本発明は、電線コードと該電線コードを付勢巻取る形態としている電線コード巻取り式イヤホン、巻取り式ＵＳＢコード、巻取り式ＬＡＮコードなどの電線コード巻取り装置に関する。
【背景技術】
【０００２】
従来の電線コードを付勢巻取る電線コード巻取り式装置として次のものが知られている。
（１）一方の端にプラグを設け他方の端にイヤホンを設けた電線コードと、この電線コードを付勢巻取るリールと該リールを内設した発条により付勢回転させる巻取り装置と、発条の付勢力に抗して電線コードのプラグ側およびイヤホン側を同時に引いて引き出す引き出し操作において、略好みの引き出し止め位置でリールの回転をロックして止め状態とし、かつ、引き出し止め位置での止め状態において、発条の付勢力に抗して電線コードのプラグ側およびイヤホン側を同時に少し引いて引き出すと、ロックが解除され、そのまま引き出されている電線コードがリールに付勢巻きとられる電線コード巻取り式イヤホンおよび巻取り式ＵＳＢコードと思われる（図７）が知られている。（例えば、特許文献１、特許文献２）
（２）（１）の電線コード巻取り式イヤホンにおいて、プラグ（平形のコネクタ１１）の電線コードとの接続根本部分の補強部位（図では番号無し。プラグに設けたといってよい構造である。）に紐取付け孔が設けられ、着脱式の連結パーツを形成するループ紐を有する第１の連結パーツと、ループ紐を有する第２の連結パーツが図示され、紐取付け孔に第１の連結パーツをそのループ紐を通し出たループ部分に連結パーツ部分を潜らせ取付け、携帯電話の紐取付け孔に第２の連結パーツをそのループ紐を通し出たループ部分に連結パーツ部分を潜らせ取付け、第１の連結パーツと第２の連結パーツを連結させて、電線コード巻取り式イヤホンを携帯電話に取付けたままの状態で携行できるというものが知られている。（例えば、特許得文献２（図４、段落［００１２］））
（３）ループ形態のネックストラップ１０の両側にイヤホン１２、１２を吊り設け、
ネックストラップ１０の下部にぜんまいばね２９（本願でいうところの「発条」）により付勢巻取り回転するリール２７を内設した巻取り装置１３をその上部側を取付け、
リール２７にコード１７（本願でいうところの「電線コード」）を巻き取らせ、
このコード１７とネックストラップ１０に沿って配索したヤホン１２、１２のコード１１を滑り接触形態で電気的に接続するブラシ３０を設け、
巻取り装置１３の下部に半筒状部４３、４４からなるとともに、その外周に係合溝４５を有する巻取り装置側連結部である筒状口部１５を設け、
この筒状口部１５から引き出されたコード１７を上部から通し側面に出して該コード１７を固定状態にした筒状口部１５に着脱自在に連結されるとともに、その連結強さが吊り下げられた身体動作で振れ上がり落ち動きする携帯電話２０の荷重でも外れない連結強さを実現している連結部材１６を設け、
連結部材１６には係合溝４５に落ち込み係合されるＵ字形状のクリップばね５８が支持設けられ、かつ、このクリップばね５８は連結部材１６の背面カバーを兼ねかつ回転操作可能とされた操作部材５３を指で回転操作すると、係合溝４５から退避して係合溝４５との係合状態が解除されるようになっており、
連結部材１６の側面から出たコード１７は延伸されて、その先端にはマイクロホン７０を内設した平形のプラグ１８が設けられ、
連結部材の１６の下部端には、携帯電話の紐通し取付け孔に通し取付けられるループ形態の吊下げ紐２１を有する取付け部材６２が、取り外し不可能な形態（非脱着形態、非連結形態）で設け、
プラグ１８と連結部材１６の間のコード１７部分を手巻きで巻取る巻取り装置８５を設けてなる、
以上のごとく構成されてなる吊下げ装置が知られている。（例えば、特許文献３）（符号は特許文献３の符号）
また、特許文献３の吊下げ装置は、その請求項１において、「首に巻付けられるネックストラップと、前記ネックストラップに沿って配索されたコードの先端部に取付けられているイヤホンまたはヘッドホンと、前記ネックストラップのペンダントに当たる部位に取付けられる巻取り装置と、前記巻取り装置によって巻取られるとともに、前記巻取り装置の引出し部に連結される連結部材が結合されているコードと、前記連結部材に吊下げられて支持されるとともに、前記コードの先端部のコネクタと接続されている携帯式電子機器と、を有し、前記連結部材が前記巻取り装置に対して係合および離脱自在になっており、前記連結部材を前記巻取り装置から離脱させて前記巻取り装置から前記コードを引出すようにしたことを特徴とする吊下げ装置。」と明示されているように、引用文献３の発明は、「連結部材（１６）に吊下げられて支持されるとともに、コード（１７）の先端部のコネクタ（プラグ（１８））と接続されている携帯式電子機器（携帯電話（２０））」を構成事項としている。
符号は特許文献の図の符号である。
【先行技術文献】
【特許文献】
【０００３】
【特許文献１】実用新案登録第３１０２２０９号公報
【特許文献２】実用新案登録第３１４８１１１号公報（図４、段落［００１２］）
【特許文献３】特開２００８−２８８９６０号公報
【非特許文献】
【０００４】
【非特許文献１】特になし
【発明の概要】
【発明が解決しようとする課題】
【０００５】
上述した従来技術は、以下に述べるような欠点があった。
＜引用文献１の発明の欠点＞
（１）引用文献１の発明は、携帯電話の機器側接続端子にプラグを差し込み取付けた状態において、携帯電話を一方の手で持ち、他方の手でイヤホンを持って話すように引っ張って電線コードを巻取り装置から引き出す場合には、その引張荷重がプラグ部分にかかるために、プラグ根本の断線、プラグの故障、機器側接続端子部分の故障などを起こしやすいという欠点を有するものであった。
（２）また、引用文献１の発明は、巻取り装置に電線コードを全部巻取り収納した状態で携帯電話を携行した場合には、身体動作によって盛んに振れる巻取り装置の当該振れが、巻取り装置に直近したプラグ部分に大きく常に作用して、プラグ根本の断線、プラグの故障、機器側接続端子部分の故障などをさらに起こしやすくするという欠点を有するものであったし、機器側接続端子からプラグが外れて落とし、気がつかなければ紛失させてしまうという欠点を有するものであった。
＜引用文献２の発明の欠点＞
引用文献２の発明は、プラグを機器側接続端子から抜いた状態でも、携帯電話と電線コード巻取り式イヤホンは連結パーツで携帯電話とプラグ根本部位で連結されているので、落とし紛失する心配がないものであるが、プラグを機器側接続端子に接続したままの状態では、落とし紛失する心配がない以外では、前記引用文献１の発明と同様な欠点を有するものである。
しかるに、プラグを機器側接続端子から抜いた状態では、着信、発信の携帯電話のたびにプラグを機器側接続端子に接続する操作を行わなければならない、通話が終了したら抜き操作を行わなくてはならないという、操作が煩雑であり、着信時の素早い対応ができないというものである。
＜引用文献３の発明の欠点＞
（１）引用文献３の発明は、巻取り装置１３に携帯電話を吊り、該携帯電話の荷重をネックストラップ１０に固定された該巻取り装置１３にて全て受けることを必須の構成要件としており、より具体的には、携帯電話を吊るループ紐である吊下げ紐２１を有する連結部材１６を巻取り装置１３に脱着自在形態で係合することによって実現している。
この連結部材１６を巻取り装置１３から外す操作は、他方の手で巻取り装置１３を持ち、一方の手の指での操作部材５３を回転させるという特別な操作によって該係合状態を解除するものである。この解除後に、携帯電話の引き離し（自重で降下もあると考えられる）によるコード１７の引き出しが可能となるものである。また、電線コードの引き出し形態は携帯電話側の一方向のみのものである。
すなわち、引用文献３の発明は、巻取り装置１３にコード１７を全部巻き取った状態で、該コード１７にネックストラップ１０から吊下げ状体にある携帯電話の荷重がかからないようにすることを課題とし、かかる課題を、携帯電話を吊る吊下げ紐２１を有する連結部材１６を巻取り装置１３に係合し、その係合は携帯電話の振れ荷重などでは外れない構成とし、かつ、外すためには操作部材５３を指で回転させる特別な操作によらなければならない構成としたことによって解決しているものである。
よって、引用文献３の発明は、巻取り装置１３に連結部材１６を非連結とすることは、その目的の達成ができないことになるものであるから、当該非連結とすることには阻害要因があるというべきものである。
また、連結部材１６を巻取り装置１３との係合を解除した状態では、巻取り装置１３に巻き取られているコード１７は携帯電話の自重で自然下降するか、片方の手でもって引き離し操作をすることで引き出される、すなわち、両方の手による引き離し引き出し操作が必要無いものである。
そうであるなら、引用文献１、２の発明のように、プラグの接続された携帯電話を一方の手に持ち、他方の手にイヤホンを持って、それらを引き離すようにして両側の電線コードを巻取り装置から引き出す電線コード巻取り式装置に、引用文献３の発明の構成を適用することにはそれを阻害する阻害要因があるべきであるとするのが相当である。
（２）また、イヤホン１２、１２を有するネックストラップ１０が巻取り装置１３に巻き取られない（非巻き取り形態）固定された形態であるために、衣服のポケット、腰ベルトに装着する携帯電話ケース、バックの小ポケットなどにイヤホン１２、１２およびネックストラップ１０が邪魔になり収納することができないものであり、バックに収納してもネックストラップ１０とイヤホン１２、１２の引き出し電線コードが絡みついてしまう、バックから取り出して携帯電話を手に持って着信、発信操作を行う状態では、ネックストラップ１０とイヤホン１２、１２が下がり操作上邪魔になる、景観も悪いというものであった。
（３）また、請求項１の記述から、携帯電話とネックストラップ付き巻取り装置１３は取付けられた形態で提供され、外すことができない、ないし外し難い構成であるとするのが相当である。
このことは、図１の携帯電話２０を吊り状態とした吊下げ紐２１の長さが、連結部材１６＋巻取り装置１３の長さよりも短くなっていることからも、連結部材１６＋巻取り装置１３を吊下げ紐２１のループを潜らせて後付としたものではなく、携帯電話の紐通し取付け孔に吊下げ紐２１を通してループを形成し、そのループに取付け部材６２を潜らせて取付け、その取付けた状態で取付け部材６２を連結部材１６に取付け固定したものとするのが相当である。それ以外の方法が見いだせないものである。
しかるに、一歩譲って、ループ紐形態である吊下げ紐２１を携帯電話の紐通し取付け孔を通し形成したループに連結部材１６＋巻取り装置１３＋ネックストラップ１２、１２を通して取付ける、その逆で取り外すことができるとすると、吊下げ紐２１の長さは少なくとも（連結部材１６長さ＋巻取り装置１３の長さ）＋（巻取り装置１３の厚み＋巻取り装置１３の横幅）以上の長さ、すなわち、連結部材１６長さ＋巻取り装置１３の長さ以上の長さとなることは明らかであり、この場合にあっては、携帯電話の巻取り装置１３からの吊り位置が著しく下方に位置して、大きく振れてしまって携行性が悪くなってしまう、前屈みになったときに携帯電話が大きく前方に振れ移動して前方の物体に衝突し易くなる、周囲のものに携帯電話がぶつかったり引っ掛かったりする機会が多くなる、プラグ１８と連結部材１６の間のコード１７部分の長さが著しく長くなり、取り回しが煩雑になり、また、その分高コストになるなどの問題が生じるものである。
そうであるなら、吊下げ紐２１を長くすることには阻害要因があるとするのが相当であり、そうであるから、吊下げ紐２１を短い紐として、当初から携帯電話に取付状態で提供されるものとも考えられる。
このような長い、吊下げ紐２１の長さおよびコード１７部分の長さは、例えば、本発明の実施例１７、１８のような自動車のフロント、ディスクトップパソコンなどに携帯電話を保持させた状態での使用にあっては、その長さが邪魔になり操作性が悪く、景観も悪いものとなる。
（４）携帯電話の機器側接続端子の位置が紐通し取付け孔に近いものもあれば離れているものもあるので、プラグ１８と連結部材１６の間のコード１７部分の長さを、最も離れた位置に合わせてなおそれより余裕ある長さとしているためであると考えられるが、プラグ１８と連結部材１６の間のコード１７部分を巻取るための、手巻き式の巻取り装置８５を設け、電線コード回しをすっきりさせるために余った部分を巻取る巻取り装置８５のような装置を設けなければならないという欠点を有するものであった。
＜引用文献１、２、３の発明＞
引用文献１、２、３の発明は、機器側接続端子にプラグを接続したままでは耳に付けての通常の通話ができない携帯電話にあっては、引用文献１、２、３の発明は、携帯電話の機器側接続端子にプラグを接続したままで、携帯電話を耳に付けての通常使用形態での通話ができないという問題があった。
＜引用文献１、２＞
引用文献１、２の発明は、耳に装着したイヤホンに巻取り装置および電線コードの荷重がかかり、イヤホンの耳への装着が安定しない、耳への負荷感があるという欠点を有するものであった。
＜引用文献２、３の発明＞
引用文献２、３の発明の発明は、携帯電話の機器側紐通し取付け孔に取り付けた取付け手段（引用文献２では吊下げ紐２１、引用文献３ではストラップ１４）の携帯電話と電線コードとの長さを非巻き取り形態で調節ができないという問題があった。
【０００６】
本発明は以上のような従来技術の欠点に鑑み、次に述べるような目的としている。
（１）本発明の第１の目的は、一方の側と他方の側に電線コードを引き出すことができ、該電線コードを付勢巻取り収納する巻取り装置を備え、電線コードの一方の側にコード側接続端子を有するとともに、主に携帯電話、携帯音楽プレーヤーなどの携帯電子機器の機器側接続端子にコード側接続端子を接続した端子接続状態として携行しても、この端子接続状態としたままでのコード側接続端子部位および機器側接続端子部位に、巻取り装置側の振れによる作用がおよばないようにできる電線コード巻取り装置を提供することを目的としている。
（２）本発明の第２の目的は、前記第１の目的を実現する、携帯電子機器の紐通し取付け孔に取りつける取付け紐を電線コードに備えた、電線コード巻取り装置を提供することを目的としている。
（３）本発明の第３の目的は、前記第１の目的あるは前記第２の目的に加えて、携帯電子機器の機器側接続端子の位置に対応した、好適な携帯電子機器への取付け位置を調節して得ることを可能とする電線コード巻取り装置を提供することを目的としている。
（４）本発明の第４の目的は、電子機器装置に取り付けた取りつけ手段の該電子機器装置からコード側取付け手段支持部までの距離を調節できる、電線コード巻取り装置を提供することを目的としている。
（５）本発明の第５の目的は、前記第１の目的、前記第２の目的、前記第３の目的あるいは前記第４の目的に加えて、耳に装着したイヤホンにかかる負荷を軽減するとともに、かかる軽減を実現する軽減手段が、電線コードを巻取り装置に巻取っての携行使用時には軽減手段も携行の邪魔にならない形態を実現する、電線コード巻取り装置を提供することを目的としている。
【課題を解決するための手段】
【０００７】
上記目的を達成するために、本発明は次に述べるような構成としている。
＜請求項１記載の発明＞
巻取り付勢手段により付勢巻取り動作をするリールを備え、一方の側に一方側コード引き出し部を有し、他方の側に他方側コード引き出し部を有してなる巻取り装置と、
前記リールに巻き取られて前記一方側コード引き出し部から引き出される一方側電線コードと、
この一方側電線コードと同一電線コードからなる、あるいは電気的に接続された、前記リールに巻き取られて前記他方側コード引き出し部から引き出される他方側電線コードと、
前記一方側電線コードの端側に設けられた、電子機器装置の機器側接続端子に接続されるコード側接続端子と、
前記一方側電線コードの前記コード側接続端子から離れた距離Ｌ位置に固定されて設けられた、後付けで固定できるように別体で添付された、あるいは移動可能で好みの位置に固定状態とできる形態で設けられた前記巻取り装置に非連結形態であるコード側取付け手段支持部と、
このコード側取付け手段支持部に設けられた、あるいは添付されて前記コード側取付け手段支持部に後付で取り付けることができる形態の、前記一方側電線コードを前記電子機器装置の機器側取付け部に取付け状態とするための取付け手段と、
前記巻取り装置に巻き取られない前記距離Ｌからなる機器接続負荷無しコード部分とからなるとともに、
前記機器側接続端子に前記コード側接続端子を接続し、かつ、前記機器側取付け部に前記取付け手段を取付けた状態にあっては、前記距離Ｌと前記機器側取付け部から前記コード側取付け手段支持部までの前記取付け手段の距離Ｓの関係が、引っ張り負荷を加えても常に前記取付け手段に負荷がかかり、前記機器接続負荷無しコード部分およびコード側接続端子には前記引張り負荷がかからない距離関係である、あるいは前記負荷がかからない距離関係にできるものであり、
前記電子機器装置の前記機器側取付け部が紐を通すための機器側紐通し取付け孔であり、前記取付け手段が紐部材であって、前記機器側紐通し取付け孔に前記紐部材を折り合わせ形態で通して、通り抜けた部分で潜らせループを形成し、この潜らせループに止め手段を通して前記紐部材を前記機器側紐通し取付け孔から抜けないように取付け、かつ、広げた前記潜らせループから前記止め手段を外すことができるものであことを特徴とする電線コード巻取り装置である。
「電子機器装置」とは、携帯電話装置、携帯音楽プレーヤー、携帯無線機、携帯録音装置、携帯ラジオ、ラジオ、ノートパソコン、ディスクトップパソコン、音楽プレーヤー、ディスプレー装置などのコード側接続端子を接続する機器側接続端子を有する機器を意味している。
＜請求項２記載の発明＞
巻取り付勢手段により付勢巻取り動作をするリールを備え、一方の側に一方側コード引き出し部を有し、他方の側に他方側コード引き出し部を有してなる巻取り装置と、
前記リールに巻き取られて前記一方側コード引き出し部から引き出される一方側電線コードと、
この一方側電線コードと同一電線コードからなる、あるいは電気的に接続された、前記リールに巻き取られて前記他方側コード引き出し部から引き出される他方側電線コードと、
前記一方側電線コードの端側に設けられた、電子機器装置の機器側接続端子に接続されるコード側接続端子と、
前記一方側電線コードの前記コード側接続端子から離れた距離Ｌ位置に固定されて設けられた、後付けで固定できるように別体で添付された、あるいは移動可能で好みの位置に固定状態とできる形態で設けられた前記巻取り装置に非連結形態であるコード側取付け手段支持部と、
このコード側取付け手段支持部に設けられた、あるいは添付されて前記コード側取付け手段支持部に後付で取り付けることができる形態の、前記一方側電線コードを前記電子機器装置の機器側取付け部に取付け状態とするための取付け手段と、
前記巻取り装置に巻き取られない前記距離Ｌからなる機器接続負荷無しコード部分とからなるとともに、
前記機器側接続端子に前記コード側接続端子を接続し、かつ、前記機器側取付け部に前記取付け手段を取付けた状態にあっては、前記距離Ｌと前記機器側取付け部から前記コード側取付け手段支持部までの前記取付け手段の距離Ｓの関係が、引っ張り負荷を加えても常に前記取付け手段に負荷がかかり、前記機器接続負荷無しコード部分およびコード側接続端子には前記引張り負荷がかからない距離関係である、あるいは前記負荷がかからない距離関係にできるものであり、
前記電子機器装置の前記機器側取付け部が紐を通すための機器側紐通し取付け孔であり、前記取付け手段が前記他方をコード側取付け手段支持部に固定された非ループの一本紐部材、その先端側に設けられた前記機器側紐通し取付け孔を通らない形態の抜止めストッパーとからなるとともに、前記機器側紐通し取付け孔に前記一本紐部材を折り合わせ形態で通して、通り抜けた部分で潜らせループを形成し、この潜らせループに前記抜止めストッパーを潜らせ通した状態として、前記潜らせループを絞めることによって該抜止めストッパーが該潜らせループから抜けない締め状態として取付けることを特徴とする電線コード巻取り装置である。
＜請求項３記載の発明＞
巻取り付勢手段により付勢巻取り動作をするリールを備え、一方の側に一方側コード引き出し部を有し、他方の側に他方側コード引き出し部を有してなる巻取り装置と、
前記リールに巻き取られて前記一方側コード引き出し部から引き出される一方側電線コードと、
この一方側電線コードと同一電線コードからなる、あるいは電気的に接続された、前記リールに巻き取られて前記他方側コード引き出し部から引き出される他方側電線コードと、
前記一方側電線コードの端側に設けられた、電子機器装置の機器側接続端子に接続されるコード側接続端子と、
前記一方側電線コードの前記コード側接続端子から離れた距離Ｌ位置に固定されて設けられた、後付けで固定できるように別体で添付された、あるいは移動可能で好みの位置に固定状態とできる形態で設けられた前記巻取り装置に非連結形態であるコード側取付け手段支持部と、
このコード側取付け手段支持部に設けられた、あるいは添付されて前記コード側取付け手段支持部に後付で取り付けることができる形態の、前記一方側電線コードを前記電子機器装置の機器側取付け部に取付け状態とするための取付け手段と、
前記巻取り装置に巻き取られない前記距離Ｌからなる機器接続負荷無しコード部分とからなるとともに、
前記機器側接続端子に前記コード側接続端子を接続し、かつ、前記機器側取付け部に前記取付け手段を取付けた状態にあっては、前記距離Ｌと前記機器側取付け部から前記コード側取付け手段支持部までの前記取付け手段の距離Ｓの関係が、引っ張り負荷を加えても常に前記取付け手段に負荷がかかり、前記機器接続負荷無しコード部分およびコード側接続端子には前記引張り負荷がかからない距離関係である、あるいは前記負荷がかからない距離関係にできるものであり、
前記電子機器装置の前記機器側取付け部が紐を通すための機器側紐通し取付け孔であり、前記コード側取付け手段支持部に紐を通すためのコード側紐通し取付け孔を設け、前記取付け手段を一本紐部材、この一本紐部材の一方の端側に設けられた前記機器側紐通し取付け孔を通らない形態である一方の抜止めストッパー、他方の端側に設けられた前記コード側紐通し取付け孔を通らない形態である他方の抜止めストッパーとからなるとともに、前記機器側紐通し取付け孔に前記一本紐部材を折り合わせ形態で通して、通り抜けた部分で一方の潜らせループを形成し、この一方の潜らせループに前記一方の抜止めストッパーを潜らせ通した状態として、前記一方の潜らせループを絞めることによって該一方の抜止めストッパーが該一方の潜らせループから抜けない締め状態として取付け、前記コード側紐通し取付け孔に前記一本紐部材を折り合わせ形態で通して、通り抜けた部分で他方の潜らせループを形成し、この他方の潜らせループに前記他方の抜止めストッパーを潜らせ通した状態として、前記他方の潜らせループを絞めることによって該他方の抜止めストッパーが該他方の潜らせループから抜けない締め状態として取付けることを特徴とする電線コード巻取り装置である。
【発明の効果】
【０００８】
以上の説明から明らかなように、本発明にあっては次に列挙する効果が得られる。
＜請求項１記載の発明の効果＞
潜らせループを広げて該潜らせループから止め手段を抜くことによって電子機器装置から取付け手段である紐部材を外すことが、簡単にできるので、電子機器装置への取付け取り外しが簡単に行えるという効果を奏する。
＜請求項２記載の発明の効果＞
潜らせループを広げて該潜らせループから抜止めストッパーを抜くことによって電子機器装置から取付け手段である一本紐部材を外すことが、簡単にできるので、電子機器装置への取付け取り外しが簡単に行えるという効果を奏する。
また、本発明の実施例１７、実施例１８に示すような使用方法を実現するものである。
すなわち、1本紐部材は通し抜け止めストッパーは通さない形態の切り込みを有する部材を、車のフロント、パソコンなどに設けることによって、1本紐部材を切り込みに差し込んでおくだけで、例えばイヤホンを摘み引くだけでイヤホンを見に持って行くことができ、イヤホンを少し引くだけで巻取り装置への巻き戻し収納が行え、着脱操作は1本紐部材を切り込みから抜くだけの極めて簡単で素早い操作であるという効果を奏するものである。
＜請求項３記載の発明の効果＞
潜らせループを広げて該潜らせループから抜止めストッパーを抜くことによって電子機器装置から取付け手段である一本紐部材を外すことが、簡単にできるので、電子機器装置への取付け取り外しが簡単に行えるという効果を奏する。
【図面の簡単な説明】
【０００９】
【図１】本発明の実施例１の部分拡大側面図、電線コードを巻き取った状態の斜視図およびコード側接続端子の断面図。
【図２】本発明の実施例１の携帯電話へ取付けた電線コードを全部巻き取った状態の斜視図、電線コードを全部引き出した状態の斜視図および機器側取付け部への取付け操作を示す斜視図。
【図３】本発明の実施例２の斜視図。
【図４】本発明の実施例３の取付け前の斜視図。
【図５】本発明の実施例３の取付け状態斜視図。
【図６】本発明の実施例３の取付け手段の他の形態を示す斜視図。
【図７】本発明の実施例４の斜視図。
【図８】本発明の実施例５の取付け前の斜視図および引輪の拡大正面図。
【図９】本発明の実施例５の取付け状態を示す斜視図。
【図１０】本発明の実施例６の取付け状態を示す斜視図。
【図１１】本発明の実施例７の斜視図。
【図１２】本発明の実施例８の斜視図
【図１３】本発明の実施例９の正面図、取付け状態正面図、電線コードを引き出した状態正面図。
【図１４】本発明の実施例１０の巻取り装置の構造および操作説明図。
【図１５】本発明の実施例１０の分解斜視図、組立斜視図および他の形態を示す組立斜視図。
【図１６】本発明の実施例１１の斜視図および取付け状態を示す斜視図。
【図１７】本発明の実施例１２の断面図および側面図。
【図１８】本発明の実施例１３の組立分解斜視図。
【図１９】本発明の実施例１４の非連結状態の斜視図。
【図２０】本発明の実施例１４の非連結状態を示す断面図および連結状態を示す断面図。
【図２１】本発明の実施例１５を示す斜視図。
【図２２】本発明の実施例１６を示す斜視図。
【図２３】本発明の実施例１７を示す斜視図。
【図２４】本発明の実施例１８の使用状態を示す斜視図。
【図２５】本発明の実施例１９のネックストラップを引き出した状態の正面図および側面図。
【図２６】本発明の実施例２０のネックストラップを引き出した状態の正面図および側面図。
【発明を実施するための形態】
【００１０】
以下、本発明を実施するための最良の形態である本発明の実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１、図２に示す本発明の実施例１において、１は電線コード巻取り装置であってこの電線コード巻取り装置１は次に述べるようになっている。
発条からなる巻取り付勢手段２（図１４参照）により付勢巻取り動作をするリール３を備え、一方の側に一方側コード引き出し部４を有し、他方の側に他方側コード引き出し部５を有してなる巻取り装置６と、
前記リール３に巻き取られて前記一方側コード引き出し部４から引き出される一方側電線コード７と、
この一方側電線コード７と同一電線コード（３本線コード（一本の中には２本の電線コード）の構造）からなる、前記リール３に巻き取られて前記他方側コード引き出し部５から引き出される他方側電線コード８と、
前記一方側電線コード７の端側に設けられた、電子機器装置９の機器側接続端子１０に接続されるコード側接続端子１１と、
前記一方側電線コード７の前記コード側接続端子１１から離れた距離Ｌ位置に固定されて設けられた、前記巻取り装置６に非連結形態であるコード側取付け手段支持部１２と、
このコード側取付け手段支持部１２に他方側を固定し設けられ、一方側の先端に抜止めストッパー１３を有し移動ロック部材１８が取付けられ、前記一方側電線コード７を前記電子機器装置９の紐通し取付け孔である機器側取付け部１４に取付け状態とするための一本紐部材１６からなる取付け手段１７と、
前記巻取り装置６に巻き取られない前記距離Ｌからなる機器接続負荷無しコード部分１９とからなるとともに、
前記機器側接続端子１０に前記コード側接続端子１１を接続し、かつ、前記機器側取付け部１４に前記取付け手段１７を取付けた状態にあっては、前記距離Ｌと前記機器側取付け部１４から前記コード側取付け手段支持部１２までの前記取付け手段１７の距離Ｓの関係が、引っ張り負荷を加えても常に前記取付け手段１７に負荷がかり、前記機器接続負荷無しコード部分１９およびコード側接続端子１１には前記引張り負荷がかからない距離関係としてなるものである。
【００１２】
他方側電線コード８の端側には通話ＯＮ・ＯＦＦボタン２０が設けられたスイッチボタン付きイヤホン２１とスイッチの付いていないイヤホン２２を設け、真ん中の電線コードにはクリップ２３を有するマイク２４を設けている。
また、他方側電線コード８にはイヤホン線２５、イヤホン線２６、マイク線２７が離された部位が、巻取り装置６に巻き戻す際に絡まないようにするために、線を分離する線分離通し駒２８を移動自在に設けている。
スイッチボタン付きイヤホン２１とイヤホン２２は色分けされ、携帯電話での使用において、着信時に携帯電話での操作をすることなく、スイッチボタン付きイヤホン２１を持ち、かつ、通話ＯＮ・ＯＦＦボタン２０を押しながら引き出し操作を行うことによって簡単に素早く行えるようにしている。
マイク２４をクリップ２３によってイヤホン線２５あるいはイヤホン線２６の適宜な部位に保持することができる。これは、長時間の会話、音楽鑑賞時などにマイク２４の垂れ下がりをなくし、違和感のない使用感を実現する。
スイッチボタン付きイヤホン２１とマイク２４を設けたことによって、携帯電話において、音楽やテレビなどの音声をイヤホンで聴いている最中でも着信があった場合には、通話ＯＮ・ＯＦＦボタン２０を押ししてそのまま通話ができる。
【００１３】
また、マイクおよび携帯電話の着信ＯＮ・ＯＦＦボタンを備えたイヤホンとして、例えば、「カシムラ シリコンイヤホンリールSW-F-RD AE-134」などが知られており、このようなイヤホンにマイクおよび着信ＯＮ・ＯＦＦボタンを備えたものとするのが、いっそう操作感がよくこうした形態のイヤホンとするのが好ましい。
【００１４】
取付け手段１７は次のような構成となっている。
電子機器装置９の機器側取付け部１４が紐を通すための機器側紐通し取付け孔であり、取付け手段１７が他方をコード側取付け手段支持部１２に固定された非ループの一本紐部材１６、その一方側の先端に設けられた前記機器側紐通し取付け孔（機器側取付け部１４）を通らない形態の抜止めストッパー１３とからなるとともに、前記機器側紐通し取付け孔（機器側取付け部１４）に前記一本紐部材１６を折り合わせ形態で通して、通り抜けた部分で潜らせループ２９を形成し、この潜らせループ２９に前記抜止めストッパー１３を潜らせ通した状態として、前記潜らせループ２９を絞めることによって該抜止めストッパー１３が該潜らせループ２９から抜けない締め状態として取付ける。
潜らせループ２９を広げて該潜らせループ２９から抜止めストッパー１３を抜くことによって電子機器装置から取付け手段１７を外すことが、簡単にできるので、電子機器装置への取付け取り外しが簡単に行える。
【００１５】
一本紐部材１６を該一本紐部材１６よりも細い弾性紐通し孔に通して移動自在に取り付けられるとともに、好みの位置に弾性力により摩擦止まり形態とできる、機器側紐通し取付け孔（機器側取付け部１４）を通らない形態のシリコンゴム製弾性部材からなる移動ロック部材１８を設けている。
移動ロック部材１８を抜止めストッパー１３とともに潜らせループ２９を潜らせて、機器側紐通し取付け孔（機器側取付け部１４）に通し取り付けることによって、機器側紐通し取付け孔部分（機器側取付け部１４）からコード側取付け手段支持部１２までの取付け手段１７の距離を、移動ロック部材１８の位置を調節して好みの位置でロック状態とすることができるので、好適な距離（長さ）に簡単にできる。
図示されていないが、移動ロック部材１８は、４ｍｍ〜５ｍｍのシリコンゴム製部材の球体であって、ステンレス製の線材でＵ字形状に形成され、かつ、両先端部分が内側に曲がって交差形態とされた環線部材が、Ｕ字頭部を外に露出させて露出環部を形成し、先端の交差部分を内設させて、環線内に弾性紐通し孔を位置させた構造となっている。
環線部材によって、数千回の移動操作でも弾性挟持保持力が衰えることがないものとなっている。また、露出環部に引輪（図８参照）などの連結部品、取付け部品、細線輪などを取り付けることができる。
【００１６】
コード側接続端子１１は次に述べるような構成となっている。
コード側接続端子１１に携帯電話のスピーカとマイクを使用しての通常の通話を可能とするための押しボタンからなる通話切替手段３１を設けている。
詳しくは、端子筐体３２に機器側接続端子１１に差し込まれる端子部分３３が固定設けられ、この端子部分３３の端子筐体３２内の端子接続部位３４と絶縁された一方側電線コード７の電線部位３５が設けられ、押し出しスプリング３６によって押し出し付勢状態にされた通話切替手段３１に、端子接続部位３４と電線部位３５の接続おこなうスライド接続部３７が設けられていて、通話切替手段３１が開放されている状態では端子接続部位３４と電線部位３５はスライド接続部３７によって連絡された接続状態とされ、通話切替手段３１を押し込み移動させた状態では、スライド接続部３７は電線部位３５から離れ絶縁された状態となる。この絶縁状態では、携帯電話のスピーカとマイクを使用しての通常の通話を可能としている。
【００１７】
｛ａ｝一方側電線コード７および他方側電線コード８を形成している電線コードと、コード側取付け手段支持部１２と、取付け手段１７とによって、｛ｂ｝一方側電線コード７および他方側電線コード８を形成している電線コードと、コード側取付け手段支持部１２と、取付け手段１７と、機器側接続端子（通話切替手段３１を有さないものを含む）とによって、｛ｃ｝一方側電線コード７および他方側電線コード８を形成している電線コードと、コード側取付け手段支持部１２と、取付け手段１７と、機器側接続端子（通話切替手段３１を有さないものを含む）と、イヤホン（マイクおよび着信ＯＮ・ＯＦＦボタンを有さないイヤホンのみのものを含む）とで巻取り装置用電線コード３９を形成している。
【００１８】
巻取り装置６への一方側電線コード７および他方側電線コード８の巻取り態様は、一方側電線コード７および他方側電線コード８の全部を巻き取ってもなおかつ巻取り付勢手段２の巻取り付勢力および巻取り回転がある場合には、コード側取付け手段支持部１２あるいはイヤホン２２のいずれかがコード引き出し部に当りストッパーとなってそれ以上の巻取りが阻止される態様となる、あるいは、コード側取付け手段支持部１２とイヤホン２２の両方がストッパーとなる。また、巻取り回転が限界に達した状態でコード側取付け手段支持部１２およびイヤホン２２がコード引き出し部に当らない場合は、巻取り装置のコード巻取り能力に規定される。
【実施例２】
【００１９】
図３に示す本発明の実施例２において、前記実施例１と主に異なる点は、イヤホンを、マイク４２を内蔵し通話ＯＮ・ＯＦＦボタン２０を設けたイヤホン４３とし、このイヤホン４３を１つだけ設けた構成とし、コード側取付け手段支持部１２に取付け手段１７以外にもう一本、取付け手段１７と同形態である取付け手段４４を設け、抜止めストッパーを抜止めストッパー４５とし、コード側接続端子を通話切替手段３１を備えていないコード側接続端子４６とした電線コード巻取り装置４７を形成した点にある。
取付け手段４４は、例えば図示したような、抜止めストッパー４５が通らない紐通し取付け孔４８を有する取付け体４９をストラップ５０部分の下部に有するネックストラップ５１を取り付けて使用することができる。また、紐通し取付け孔４８を有する人形、飾り付けるなどに利用できる。
長さの異なる取付け手段１７を複数設けて、最適な長さのものを使用できるようにするのもよい。
【実施例３】
【００２０】
図４、図５、図６に示す本発明の実施例３において、前記実施例２と主に異なる点は、コード側取付け手段支持部１２に取付け手段１７を設けず、代わりにコード側紐通し取付け孔５４ａ、５４ｂを設け、このコード側紐通し取付け孔５４ａ、５４ｂに取り付けるための、一本紐部材１６の両側に抜止め平板形態の抜止めストッパー５５ａ、５５ｂを、その中心部から紐が出る形態ないし設けた形態で有する連結ストラップからなる取付け手段５６、５７を添付し、イヤホンをステレオで聞けるように２つ設けた電線コード巻取り装置５８を形成した点にある。
より詳しくは、コード側取付け手段支持部１２に紐を通すためのコード側コード側紐通し取付け孔５４ａ、５４ｂを設け、取付け手段５６、５７を一本紐部材１６、この一本紐部材１６の一方の端側に設けられた機器側紐通し取付け孔（機器側取付け部１４）を通らない形態である抜止めストッパー５５ａ、他方の端側に設けられたコード側コード側紐通し取付け孔５４ａを通らない形態である抜止めストッパー５５ｂとからなるとともに、機器側紐通し取付け孔１４に取付け手段５６あるいは取付け手段５７の一本紐部材１６を折り合わせ形態で通して、通り抜けた部分で潜らせループ２９を形成し、この潜らせループ２９に抜止めストッパー５５ａを潜らせ通した状態として、潜らせループ２９を絞めることによって抜止めストッパー５５ａが潜らせループ２９から抜けない締め状態として電子機器装置９に取付け、かつ、コード側コード側紐通し取付け孔５４ａに一本紐部材１６を折り合わせ形態で通して、通り抜けた部分で潜らせループ２９を形成し、この潜らせループ２９に抜止めストッパー５５ｂを潜らせ通した状態として、潜らせループ２９を絞めることによって抜止めストッパー５５ｂが潜らせループ２９から抜けない締め状態として取付け手段１２に取付ける。
上記のような、潜らせループ２９に抜止めストッパーを潜らせる取付け方法によって、紐通し取付け孔４８を有するネックストラップ５１や人形などを取り付けるなどできる。
【００２１】
図６によって、連結ストラップである取付け手段の他の形態を説明する。
＜図６の（ａ）＞
中央に紐通し孔６０をあけた合成樹脂製の円盤部材からなる抜止めストッパー６１ａ、６１ｂを、合成樹脂製の一本紐部材６２の両端に設け、抜止めストッパー６１ａ、６１ｂの表面側と、該表面側に出た一本紐部材６２を融着接合ないし溶着接合した取付け手段６３を形成している。
＜図６の（ｂ）＞
合成樹脂製の円盤部材からなる抜止めストッパー６４ａ、６４ｂを、合成樹脂製の一本紐部材６５の両端に設けた構成が同一合成樹脂製部材の一体成形により形成されてなる取付け手段６６を形成している。
＜図６の（ｃ）＞
一本紐部材６７の一方の端に抜止め部材６８を設け、他方の端に円盤状の抜止めストッパー６９を設け、中央に一本紐部材６７を移動自在に通した紐通し孔７０を有し、左右から一本紐部材６７を挟み込む切り込み７１ａ、７１ｂを形成してなる円盤形態の抜止めストッパー７２を設けてなる取付け手段７３を形成している。
下図のように、一本紐部材６７を切り込み７１ａおよび切り込み７１ｂあるいはいずれか一方の挟み込む形態で抜止めストッパー７２に巻き付けることによって、抜止めストッパー７２の位置を好みの位置に固定することができる。これによって、抜止めストッパー７２の取付け長さを調節することが可能となる。
【実施例４】
【００２２】
図７に示す本発明の実施例４において前記実施例１と主に異なる点は、止めストッパーを着脱式連結パーツを構成する雌連結パーツ７５ａとしてなる取付け手段７６を形成し、かつ、一本紐部材１６をもう一本設けてその端に雌連結パーツ７５ｂを設けた取付け手段７７を設けてなる電線コード巻取り装置７８を形成した点にある。
ストラップ５１の下部に雌連結パーツ７５ａ、７５ｂに連結する雄連結パーツ７９を設けたネックストラップ８０を着脱自在形式で取り付けることができる。
【実施例５】
【００２３】
図８、図９に示す本発明の実施例５において前記実施例１と主に異なる点は、取付け手段をコード側取付け手段支持部１２にループ紐８２を固定し、ループ紐８２に移動自在に引輪８３が取り付けられ、機器側取付け部１４を通らない形態（ここでは円盤形状）の抜止め部材８４に、ループを合わせ真っ直ぐに延ばした長さが１２ｍｍ〜２０ｍｍの長さの、機器側取付け部１４に通して出た側に連結小ループ８５を形成するループ紐８６を設けた形態の連結取付け部材８７が添付されてなる取付け手段８８とした電線コード巻取り装置８９を形成した点にある。
引輪８３は、開口９１を有する円形状の筒部分９２と、この筒分９２に内蔵されたスプリングにより付勢移動可能形態で開口９１を開閉するように設けられた開閉棒部材９３と、この開閉棒部材９３の開閉操作をするために指を掛ける指かけ突起９４と、筒部分９２の外周に設けられたリング９５とからなっている。
機器側取付け部１４にループ紐８６を通し、出た部位で連結小ループ８５を形成し、この連結ループに８５に引輪８３を取り付ける。
【実施例６】
【００２４】
図１０に示す本発明の実施例６において前記実施例３と主に異なる点は、コード側取付け手段支持部１２にコード側紐通し取付け孔９７からなる１つ孔を設け、このコード側紐通し取付け孔９７に取付け手段５６、取付け手段５７を取付け、取付け手段５６の抜止めストッパー５５ａ側を電子機器装置９に取付け、取付け手段５７の抜止めストッパー５５ａ側にネックストラップ付勢巻取り装置９８を取り付けてなる使用形態としている電線コード巻取り装置９９を形成した点にある。
ネックストラップ付勢巻取り装置９８は、発条の負製力により付勢巻取り回転をするリール（図示せず省略）を筐体１００内に設け、前記リールの回転を開放時ではロックし、押し込み操作によって解除するロック・ロック解除ボタン１０１を筐体１００の中央に露出させて設け、筐体１００に２つのストラップ引き出し口（図示せず省略）を設け、前記リールに巻き取られた首に掛けることができる長さに引き出されるループ形態のネックストラップ１０２を設け、このネックストラップ１０２は外に垂れ下がることがない状態に巻き取られる。
【実施例７】
【００２５】
図１１に示す本発明の実施例７において前記実施例６と主に異なる点は、取付け手段を、ループ紐１０４を有する雌連結パーツ１０５からなる取付け手段１０６と、ループ紐１０７を有する雄連結パーツ１０８からなる取付け手段１０９とからなるものとし、雌連結パーツ１０５と雄連結パーツ１０８は着脱式連結形態であるものであるとした、電線コード巻取り装置１１０を形成した点にある。
機器側取付け部１４にループ紐１０７を通し出た部位である潜らせループに雄連結パーツ１０８を潜らせ電子機器装置９に取付け手段１０９を取りつけ、コード側紐通し取付け孔９７にループ紐１０４を通し出た部位である潜らせループに雌連結パーツ１０５を潜らせてコード側取付け手段支持部１２に取付け手段１０６を取付け、雄連結パーツ１０８と雌連結部パーツ１０５を連結する。
【実施例８】
【００２６】
図１２に示す本発明の実施例８において前記実施例６と主に異なる点は、巻取り装置６に巻き取られて一方側電線コード７および他方側電線コード８を形成する、２電線（１電線は２本の電線からなっている）によってなる一本の電線コードに、該電線コードよりも伸びの無いかつ該電線コードよりも強靱なロープやワイヤなどからなる補強コード１１２が一体かされて設けられ、この補強コード１１２の一部を電線コードから分離させて、コード側取付け手段支持部１２部分で電線コードに固定一体化された構成とし、コード側取付け手段支持部１２部分より機器接続負荷無しコード部分１９側に延伸された部分を一本紐部材１１５とし、その先端に抜止めストッパー１３を設けた構成としてなる取付け手段１１３を形成してなる電線コード巻取り装置１１４を形成した点にある。
【実施例９】
【００２７】
図１３に示す本発明の実施例９において、１１７は電線コード巻取り装置であって、この電線コード巻取り装置１１７は、耳掛け部１１９で耳に掛ける形態の巻取り装置１１８を内設したイヤホン１２０と、耳掛け部１２２で耳に掛ける形態の巻取り装置１２１を内設したイヤホン１２３と、一方側がイヤホン１２０側に一方を固定され他方側が巻取り装置１２１に巻き取られてイヤホン１２３に電気的に接続された他方側電線コード１２４と、一方側先端にコード側接続端子１２５を設けた他方側を巻取り装置１１８に巻き取らせてイヤホン１２０、イヤホン１２３に電気的に接続された一方側電線コード１２６と、巻取り装置１１８のロック・ロック解除ボタン１２７と、巻取り装置１２１のロック・ロック解除ボタン１２８と、通話マイク４２と、通話ＯＮ・ＯＦＦボタン２０と、機器接続負荷無しコード部分１９を形成するとともに、取付け手段１７を取付け支持したコード側取付け手段支持部１２とからなっている。
このような構造のものでも、携帯電話（電子機器装置９）を左手に持ち、イヤホン１２３を右手にもって引き離すことにより、他方側電線コード１２４と一方側電線コード１２６を巻取り装置１２１、１１８から一斉に引き出し使用することができる。
【実施例１０】
【００２８】
図１４、図１５に示す本発明の実施例１０において前記実施例１と主に異なる点は、図１４に示すように、一方側電線コード７と他方側電線コード８が一本の電線コード（複数本の電線コードが一体化されたもの）によるものであり、リール３には２つのコード通し口１３０、１３１が設けられ、このコード通し口１３０、１３１に前記電線コードが通されて前記リール３に巻取り可能とされるとともに、前記一方側電線コード７および前記他方側電線コード８を全部引き出した状態では、巻取り装置６を移動させて前記一方側電線コード７と他方側電線コード８の長さを調節できるようになっている。
また、図１５の（ａ）に示すように、コード側取付け手段支持部を、半円柱形態の支持部本体１３３に一方側電線コード７が嵌る溝１３４を有する第１のパーツ１３５と、半円柱形態の支持部本体１３６に一方側電線コード７が嵌る溝１３７と取付け手段１７を備えた第２のパーツ１３８とからなるコード側取付け手段支持部１３９とした点にある。
使用している電子機器装置９にとって最適な距離Ｌがえられる機器接続負荷無しコード部分１９を形成する一方側電線コード７の部位を確定し、この確定部位に接着剤を塗布した第１のパーツ１３５と第２のパーツ１３８を一方側電線コード７を挟むように合わせ接着して固定する。
一方側電線コード７と他方側電線コード８の長さが略同じ長さとなる位置に巻取り装置６を移動させる。
また、図１５の（ｂ）に示すように、第２のパーツ１３８にコード側紐通し取付け孔１４０を設け、連結ストラップである１本紐１４１の両側にコード側紐通し取付け孔１４０を通らない形態の抜け止めストッパー１４２ａ、１４２ｂをもうけてなる取付け手段１４３を添付したものもよい。
【実施例１１】
【００２９】
図１６に示す本発明の実施例１１において前記実施例１０と主に異なる点は、コード側取付け手段支持部を、半円柱形態の支持部本体１３３と半円柱形態の支持部本体１３６が一方の片をヒンジ部１４５で連結された一体成形により形成された構成とし、支持部本体１３３には嵌合爪１４６が設けられ、支持部本体１３６には嵌合爪１４６が嵌合して嵌め殺し状態とする嵌合溝１４７が形成された構造としたコード側取付け手段支持部１４８とした点にある。
嵌合爪１４６を嵌合溝１４７に嵌合させた合わせ嵌合状態では、コード側取付け手段支持部１４８は一方側電線コード７を確りと締め付け固定される。
【実施例１２】
【００３０】
図１７に示す本発明の実施例１２において前記実施例１０と主に異なる点は、図１７の（ａ）では、コード側取付け手段支持部を、一方側電線コード７を移動自在に通すコード通し孔１５０を有する駒本体１５１と、この駒本体１５０のコード通し孔１５０に直交するようにあけられた押し込みボタン１５２が入り可動するボタン可動孔１５３と、このボタン可動孔１５３の奥にセットされた圧縮コイルばね１５４と、押し込みボタン１５２にあけられたコード通し孔１５０と連絡されて一方側電線コード７を通す挟持孔１５５と、駒本体１５１に他方端を固定されてなる取付け手段１７とからなるコード側取付け手段支持部１５６とした点にある。
また、図１７の（ｂ）では、駒本体１５１にリングからなるコード側紐通し取付け孔１５７を設けたコード側取付け手段支持部１５８を形成している。
【実施例１３】
【００３１】
図１８に示す本発明の実施例１３において前記実施例１０と主に異なる点は、コード側取付け手段支持部を、一方側電線コード７を移動可能に通すコード通し孔１６０を有する筒状の駒本体１６１と、この駒本体１６１のコード通し孔１６０と直交する形態で設けられたネジ孔１６２と、コード通し孔１６０に一方側電線コード７を通した状態でネジ孔１６２に移動自在に入れられるコード抑え片１６３と、ネジ孔１６２に螺合されてコード抑え片１６３を一方側電線コード７に押し付けて駒本体１６１を動かないように固定するボルト１６４と、駒本体１６１の設けられたコード側紐通し取付け孔１４０とからなるコード側取付け手段支持部１６５とした点にある。
【実施例１４】
【００３２】
図１９、図２０に示す本発明の実施例１４において前記実施例１０と主に異なる点は、コード側取付け手段支持部を、一方側電線コード７を通すコード通し筒状形態の第１の連結部品１６８と、この第１の連結部品１６８と連結される第２の連結部品１６９とからなって、前記第１の連結部品１６８は雄ネジ部１７０を有しかつ該雄ネジ部１７０の先方に複数の締め付け片１７１を設けた構成とされ、前記第２の連結部品１６９は前記雄ネジ部１７０が螺合する雌ネジ部１７２を有しかつ該雌ネジ部１７２の先方に前記締め付け片１７１が入って進行するに伴って該締め付け移動するテーパー部１７３を設けた構成とされ、前記雄ネジ部１７０と雌ネジ部１７２の螺合を進行させて前記締め付け片１７１による前記一方側電線コード７を締め付けによって、前記一方側電線コード７を移動できないように固定状態にできるようにし、第１の連結部品１６８と第２の連結部品１６９にそれぞれコード側紐通し取付け孔１４０、１４０を設けた構成としたコード側取付け手段支持部１７４とした点にある。
長さの異なる連結ストラップである取付け手段１４３ａ、１４３ｂ、１４３ｃが添付されている。
【実施例１５】
【００３３】
図２１に示す本発明の実施例１５において前記実施例１０と主に異なる点は、コード側取付け手段支持部を、ゴム製部材などの弾性部材からなるコード側取付け手段支持部１７７とした点にある。
コード側取付け手段支持部１７７には一方側電線コード７よりも細い該一方側電線コード７を強制的に通す弾性締め付けコード通し孔１７８が形成され、容易には動かない固定状態とされているが、コード側取付け手段支持部１７７を摘み強く引くことにより動かすことができる。また、弾性締め付けコード通し孔１７８に一方側電線コード７を通す前に予め取付け手段１４３を通した状態で通し、取付け手段１４３を抜け無い固定状態としている。
【実施例１６】
【００３４】
図２２に示す本発明の実施例１６において前記実施例１と主に異なる点は、コード側取付け手段支持部を、コード側取付け手段支持部１７４にし、取付け手段を取付け手段１４３にし、巻取り装置を、リールの回転を開放時はロックし押し込み時は開放して付勢巻取り回転とするためのロック・ロック解除ボタン１８０を有する巻取り装置１８１にした電線コード巻取り装置１８２を形成した点にある。
【実施例１７】
【００３５】
図２３に示す本発明の実施例１７において前記実施例１と主に異なる点は、図２３の（ａ）では、電子機器装置９（ここでは「携帯電話」）を収納する携帯電話収納具１８５が添付された形態している点にある。
携帯電話収納具１８５は携帯電話を収納する収納部１８６と、この収納部１８６の背面部（側面壁や前面壁でもよいし、一部立ち上げでもよい）を立ち上げた立ち上げ壁１８７に1本紐部材１６を通すが抜け止めストッパー１３は通さない形態の切り込み１８８とからなっている。掛け棒１９０はループ紐形態の取付け手段を掛けるためのものである。
これを、自動車のフロント側などに貼り付け固定するための両面粘着シート１８９が添付されている。
切り込みの形態は直線的なもの、曲線的なもの、直線と曲線の組み合わせなど多様な形態のものが含まれる。
切り込みを設ける部位は、単にケースの壁に設けた形態もよい。
図２３の（ｂ）では、電子機器装置９（ここでは「携帯電話」）を単に伏せ置く傾斜面からなる携帯電話伏せ置き台２００が添付された形態としている点にある。
携帯電話伏せ置き台２００は携帯電話を伏せ置く傾斜面からなる伏せ置き部２０１と、この伏せ置き部２０１の背面部（側面壁や前面壁でもよいし、一部立ち上げでもよい）を立ち上げた立ち上げ壁１８７に1本紐部材１６を通すが抜け止めストッパー１３は通さない形態の切り込み１８８とからなっている。
いずれにおいても、イヤホン２１、２２を摘み引くだけの操作でイヤホンを素早く耳に持ってくることができ、イヤホンを少し引くだけでロックが解除され自動的に巻取り装置６に電線コードが巻き取られ収納されるものである。切り込み１８８に1本紐部材を入れる、抜く、の操作であるので極めて簡単に取付け取り外しができる。
携帯電話収納具１８５、携帯電話伏せ置き台２００はそれ単独として提供することも当然できるものである。
【実施例１８】
【００３６】
図２４に示す本発明の実施例１８において前記実施例１と主に異なる点は、他側電線コード８の先端にＵＳＢ端子１９４を設けた電線コード巻取り装置１９２を形成した点にある。
また、ディスクトップパソコンや、その周辺の壁、机面に貼り付け固定する粘着面１９５を備え、1本紐部材１６を通すが抜け止めストッパー１３は通さない形態の切り込み１８８を設けた、紐保持部材１９３を添付した点にある。
【実施例１９】
【００３７】
図２５に示す本発明の実施例１９において前記実施例１と主に異なる点は、巻取り装置６の背面に一体（筐体の一部は巻取り装置６筐体と一体成形している）とした、ネックストラップ１０２の略全部を付勢巻取りし、ネックストラップ付勢巻取り装置９８を設けてなる電線コード巻取り装置２０３を形成した点にある。
ネックストラップ付勢巻取り装置９８は、発条の負製力により付勢巻取り回転をするリール（図示せず省略）を筐体１００内に設け、前記リールの回転を開放時ではロックし、押し込み操作によって解除するロック・ロック解除ボタン１０１を筐体１００の中央に露出させて設け、筐体１００に２つのストラップ引き出し口（図示せず省略）を設け、前記リールに巻き取られた首に掛けることができる長さに引き出されるループ形態のネックストラップ１０２を設け、このネックストラップ１０２は外に垂れ下がることがない状態に巻き取られる。
ネックストラップを引き出し首にかけることによって、巻取り装置および他方側電線コードの重みを首で受け止めるようにして、耳に装着したイヤホンへの荷重を軽減できるとともに、携行時ないし使用しないときは、ネックストラップはネックストラップ付勢巻取り装置に略全部巻き戻し収納して、邪魔にならない形態とできる。
【実施例２０】
【００３８】
図２６に示す本発明の実施例２０において前記実施例１９と主に異なる点は、ネックストラップ付勢巻取り装置９８の位置を巻取り装置６の上部側に位置させた電線コード巻取り装置２０４を形成した点にある。
【００３９】
［付記］
＜付記１記載の発明の効果＞
巻取り付勢手段により付勢巻取り動作をするリールを備え、一方の側に一方側コード引き出し部を有し、他方の側に他方側コード引き出し部を有してなる巻取り装置と、
前記リールに巻き取られて前記一方側コード引き出し部から引き出される一方側電線コードと、
この一方側電線コードと同一電線コードからなる、あるいは電気的に接続された、前記リールに巻き取られて前記他方側コード引き出し部から引き出される他方側電線コードと、
前記一方側電線コードの端側に設けられた、電子機器装置の機器側接続端子に接続されるコード側接続端子と、
前記一方側電線コードの前記コード側接続端子から離れた距離Ｌ位置に固定されて設けられた、後付けで固定できるように別体で添付された、あるいは移動可能で好みの位置に固定状態とできる形態で設けられた前記巻取り装置に非連結形態であるコード側取付け手段支持部と、
このコード側取付け手段支持部に設けられた、あるいは添付されて前記コード側取付け手段支持部に後付で取り付けることができる形態の、前記一方側電線コードを前記電子機器装置の機器側取付け部に取付け状態とするための取付け手段と、
前記巻取り装置に巻き取られない前記距離Ｌからなる機器接続負荷無しコード部分とからなるとともに、
前記機器側接続端子に前記コード側接続端子を接続し、かつ、前記機器側取付け部に前記取付け手段を取付けた状態にあっては、前記距離Ｌと前記機器側取付け部から前記コード側取付け手段支持部までの前記取付け手段の距離Ｓの関係が、引っ張り負荷を加えても常に前記取付け手段に負荷がかり、前記機器接続負荷無しコード部分およびコード側接続端子には前記引張り負荷がかからない距離関係である、あるいは前記負荷がかからない距離関係にできるものであることを特徴とする電線コード巻取り装置であるので次に述べるような効果を奏する。
すなわち、
説明は、電子機器装置を携帯電話とし、本発明の電線コード巻取り装置を他方側電線コードの端側にマイクおよび携帯電話の着信ＯＮ・ＯＦＦボタンをイヤホン部分に備えたイヤホンを設けたコード巻取り式イヤホンとし、巻取り装置はコード引き出し途中での引き出し停止機能およびロック解除機能（ロック・ロック解除機能）を備えている、例によって説明する。こうした、巻取り装置のコードの引き出し途中で止めるロック機構は、例えば特許文献１、２の機構があり、販売されているもでも多様なものが公知の技術としてしられており、これらの技術を使用すればよい。また、マイクおよび携帯電話の着信ＯＮ・ＯＦＦボタンを備えたイヤホンとして、例えば、「カシムラ シリコンイヤホンリールSW-F-RD AE-134」などがある。
（１）携帯電話の機器側接続端子にコード側接続端子を接続した状態であり、かつ、携帯電話の機器側紐通し取付け孔に取付け手段を取付けた状態である機器取付け状態にする。
［ａ］この機器取付け状態にあって、着信があったら、一方の手に携帯電話を持ち他方の手にイヤホンを持って着信ＯＮ・ＯＦＦボタンを押して通話ＯＮとしながら引き離すように広げて、巻取り装置の付勢力に抗して一方側電線コードと他方側電線コードを引き出し、引き出した状態に止めてイヤホンを耳に当て通話をし、ロック解除（例えば、イヤホンを少し引きリールを少し回転させるとロックが解除される機構）すると、そのまま一方側電線コードと他方側電線コードは自動的に巻取り装置に巻き取られ収納され、
［ｂ］また、前記機器取付け状態にあって、携帯電話を腰ベルトに装着したケースに入れ、かつ、イヤホンは該ケースの外に出しておく携行形態にあっては、着信が合った場合は、携帯電話はケースにそのままにしてイヤホンのみを片手の指で摘み、かつ、着信ＯＮ・ＯＦＦボタンを押しながら引き上げて、巻取り装置の付勢力に抗して一方側電線コードと他方側電線コードを引き出し、引き出した状態に止めてイヤホンを耳に当て通話をし、ロック解除するとそのまま一方側電線コードと他方側電線コードは自動的に巻取り装置に巻き取られ収納される使用および電線コードを巻取り装置に巻取り収納した状態での携行、
［ｃ］自動車のフロントの携帯電話ケースにイヤホンは外に出して入れた状態にして、着信があったら、イヤホンを片手で持ち着信ＯＮ・ＯＦＦボタンを押しながら耳に持って行ってそのまま通話し、通話終了後は少し引いてリールのロックを解除して出ている一方側・他方側電線コードを巻き戻させ収納させる使用ないし携行などにおいて、
巻取り装置に一方側電線コードと他方側電線コードを付勢巻き取らせた電線コード巻取り装置において、「前記機器側接続端子に前記コード側接続端子を接続し、かつ、前記機器側取付け部に前記取付け手段を取付けた状態にあっては、前記距離Ｌと前記機器側取付け部から前記コード側取付け手段支持部までの前記取付け手段の距離Ｓの関係が、引っ張り負荷を加えても常に前記取付け手段に負荷がかり、前記機器接続負荷無しコード部分およびコード側接続端子には前記引張り負荷がかからない距離関係である、あるいは前記負荷がかからない距離関係にできるものである」という構成であることとから、機器側接続端子に接続されたコード側接続端子および機器接続負荷無しコード部分には、引っ張り負荷や巻取り装置の振れの影響が及ばない形態を実現するものであるので、機器側接続端子にコード側接続端子を常に接続したままの常時接続状態での使用を、コード側接続端子の外れ、破損、コード側接続端子の付け根部分の電線コードの破断などの不安要素を気にしないで可能にする、実現するとともに、着信時の素早くスムーズな引き出し通話対応および通話終了後の素早くスムーズな巻き戻し収納を実現するという効果を奏するものである。
これによって、巻取り装置に一方側電線コードと他方側電線コードを付勢巻き取らせた電線コード巻取り装置において、機器側接続端子にコード側接続端子を常に接続したままの常時接続状態での使用を、機器側接続端子、コード側接続端子および電線コードの損傷の心配なく安全に実現するという効果を奏する。
巻取り装置の振れによる作用および引っ張り荷重を含む荷重（負荷）は、その殆どが取付け手段の携帯電話の当接部分から近接部分に結集されるので、機器接続負荷無しコード部分には引っ張り負荷は皆無であり、振れは負荷のない電線コードにダメージを与えることのない弱いものとなる。
（２）携帯電話にあっては、巻取り装置に一方側電線コードと他方側電線コードを付勢巻き取らせた電線コード巻取り装置において、機器側接続端子にコード側接続端子を常に接続したままの常時接続状態での使用を可能としているので、携帯電話を耳に付け通話する必要がなく、よって、携帯電話を汗で濡らせてしまうことのない携帯電話の通話携帯を実現するという効果を奏する。
（３）また、コード側取付け手段支持部が巻取り装置に非連結形態であるので、単にイヤホンを引っ張るだけで一方側電線コードおよび他方側電線コードがそのまま引き出されるので、素早い引き出し操作および巻き戻し収納操作が行えるという効果を奏する。
＜付記２記載の発明の効果＞
電子機器装置の機器側取付け部が紐を通すための機器側紐通し取付け孔であり、取付け手段が紐部材であって、前記機器側紐通し取付け孔に前記紐部材を折り合わせ形態で通して、通り抜けた部分で潜らせループを形成し、この潜らせループに止め手段を通して前記紐部材を前記機器側紐通し取付け孔から抜けないように取付け、かつ、広げた前記潜らせループから前記止め手段を外すことができるものであることを特徴とする付記１記載の電線コード巻取り装置であるので、付記１記載の発明の効果と同様な効果を奏するとともに次に述べるような効果を奏する。
すなわち、
潜らせループを広げて該潜らせループから止め手段を抜くことによって電子機器装置から取付け手段である紐部材を外すことが、簡単にできるので、電子機器装置への取付け取り外しが簡単に行えるという効果を奏する。
＜付記３記載の発明の効果＞
電子機器装置の機器側取付け部が紐を通すための機器側紐通し取付け孔であり、取付け手段が他方をコード側取付け手段支持部に固定された非ループの一本紐部材、その先端側に設けられた前記機器側紐通し取付け孔を通らない形態の抜止めストッパーとからなるとともに、前記機器側紐通し取付け孔に前記一本紐部材を折り合わせ形態で通して、通り抜けた部分で潜らせループを形成し、この潜らせループに前記抜止めストッパーを潜らせ通した状態として、前記潜らせループを絞めることによって該抜止めストッパーが該潜らせループから抜けない締め状態として取付けることを特徴とする付記１に記載の電線コード巻取り装置であるので、付記１に記載の発明と同様な効果を奏するとともに次に述べるような効果を奏する。
すなわち、
潜らせループを広げて該潜らせループから抜止めストッパーを抜くことによって電子機器装置から取付け手段である一本紐部材を外すことが、簡単にできるので、電子機器装置への取付け取り外しが簡単に行えるという効果を奏する。
また、本発明の実施例１７、実施例１８に示すような使用方法を実現するものである。
すなわち、1本紐部材は通し抜け止めストッパーは通さない形態の切り込みを有する部材を、車のフロント、パソコンなどに設けることによって、1本紐部材を切り込みに差し込んでおくだけで、例えばイヤホンを摘み引くだけでイヤホンを見に持って行くことができ、イヤホンを少し引くだけで巻取り装置への巻き戻し収納が行え、着脱操作は1本紐部材を切り込みから抜くだけの極めて簡単で素早い操作であるという効果を奏するものである。
＜付記４記載の発明の効果＞
電子機器装置の機器側取付け部が紐を通すための機器側紐通し取付け孔であり、コード側取付け手段支持部に紐を通すためのコード側紐通し取付け孔を設け、取付け手段を一本紐部材、この一本紐部材の一方の端側に設けられた前記機器側紐通し取付け孔を通らない形態である一方の抜止めストッパー、他方の端側に設けられた前記コード側紐通し取付け孔を通らない形態である他方の抜止めストッパーとからなるとともに、前記機器側紐通し取付け孔に前記一本紐部材を折り合わせ形態で通して、通り抜けた部分で一方の潜らせループを形成し、この一方の潜らせループに前記一方の抜止めストッパーを潜らせ通した状態として、前記一方の潜らせループを絞めることによって該一方の抜止めストッパーが該一方の潜らせループから抜けない締め状態として取付け、前記機器側紐通し取付け孔に前記一本紐部材を折り合わせ形態で通して、通り抜けた部分で他方の潜らせループを形成し、この他方の潜らせループに前記他方の抜止めストッパーを潜らせ通した状態として、前記他方の潜らせループを絞めることによって該他方の抜止めストッパーが該他方の潜らせループから抜けない締め状態として取付けることを特徴とする付記１に記載の電線コード巻取り装置であるので、付記１に記載の発明の効果と同様な効果を奏するとともに次に述べるような効果を奏する。
すなわち、
潜らせループを広げて該潜らせループから抜止めストッパーを抜くことによって電子機器装置から取付け手段である一本紐部材を外すことが、簡単にできるので、電子機器装置への取付け取り外しが簡単に行えるという効果を奏する。
＜付記５記載の発明の効果＞
コード側取付け手段支持部が一方側電線コードに移動可能形態で取付けられ、かつ、好みの位置に固定状態とするための固定機構を備えてなる、あるいは摩擦移動できかつ弾性締め付け力で固定状態となる弾性締め付け部材からなるコード側取付け手段支持部であることを特徴とする付記１〜４のいずれか１項に記載の電線コード巻取り装置であるので、付記１〜４のいずれか１項に記載の電発明の効果と同様な効果を奏するとともに次に述べるような効果を奏する。
すなわち、
移動できかつ好みの位置に固定状態とできるので、電子機器装置の機器側接続端子の位置と機器側取付け部の位置および取付け手段の長さから最適となる位置にコード取付け部を固定状態とできるので、種類の異なる携帯電話、携帯音楽プレーヤーなどに自在に対応できる電線コード巻取り装置を提供できるという効果を奏する。
＜付記６記載の発明の効果＞
コード側取付け手段支持部が一方側電線コードを通すコード通し筒状形態の第１の連結部品と、この第１の連結部品と連結される第２の連結部品とからなって、前記第１の連結部品は雄ネジ部を有しかつ該雄ネジ部の先方に複数の締め付け片を設けた構成とされ、前記第２の連結部品は前記雄ネジ部が螺合する雌ネジ部を有しかつ該雌ネジ部の先方に前記締め付け片が入って進行するに伴って該締め付け移動するテーパー部を設けた構成とされ、前記雄ネジ部と雌ネジ部の螺合を進行させて前記締め付け片による前記一方側電線コードを締め付けによって、前記コード側取付け手段支持部が前記一方側電線コードを移動できないように固定状態にできるようにしたことを特徴とする付記１〜５のいずれか１項に記載の電線コード巻取り装置であるので、付記１〜５のいずれか１項に記載の発明の効果と同様な効果を奏するとともに次に述べるような効果を奏する。
すなわち、
前記付記５記載の発明と同様な効果を奏し、かつ、ネジの締め付けによる固定であるので、確りとした固定状態にできるという効果を奏する。
＜付記７記載の発明の効果＞
一方側電線コードと他方側電線コードが一本の電線コードによるものであり、リールには２つのコード通し口が設けられ、このコード通し口に前記電線コードが通されて前記リールに巻取り可能とされるとともに、前記一方側電線コードおよび前記他方側電線コードを全部引き出した状態では、巻取り装置を移動させて前記一方側電線コードと他方側電線コードの長さを調節できることを特徴とする付記１〜６のいずれか１項に記載の電線コード巻取り装置であるので、付記１〜６のいずれか１項に記載の発明の効果と同様な効果を奏するとともに次に述べるような効果を奏する。
すなわち、
特に、コード取付け部が後付固定形態あるいは移動調節固定形態である場合には、巻取り装置からコード取付け部までの一方側電線コードの長さと他方側電線コードの長さが異なることが生じるが、このような場合は、コード取付け部を固定してから、一方側電線コードおよび他方側電線コードを巻取り装置から全部引き出した状態として、その巻取り装置を移動させて一方側電線コードと他方側電線コードの長さを同じないし好みの長さに調節できるので、種類の異なる携帯電話、携帯音楽プレーヤーなどに自在に対応できる電線コード巻取り装置を提供できるという効果を奏する。
＜付記８記載の発明の効果＞
他方側電線コードの端側にイヤホンあるいはマイク付きイヤホンを設けてなることを特徴とする付記１〜７のいずれか１項に記載の電線コード巻取り装置であるの、付記１〜７のいずれか１項に記載の発明の効果と同様な効果を奏するとともに次に述べるような効果を奏する。
すなわち、
他方側電線コードの端側にイヤホンを設けることによって、携帯電話、携帯音楽プレーヤーなどの音声電子機器の音楽や音声を聴くことができる。特に、マイク付きイヤホンを設けることにより、携帯電話において、音楽やテレビなどの音声をイヤホンで聴いている最中でも着信があった場合には、そのまま通話ができる。
＜付記９記載の発明の効果＞
取付け手段がその先端側に機器側紐通し取付け孔を通らない形態の抜止めストッパーを備えた非ループの一本紐部材であり、かつ、この一本紐部材を該一本紐部材よりも細い弾性紐通し孔に通して移動自在に取り付けられるとともに、好みの位置に弾性力により摩擦止まり形態とできる、前記機器側紐通し取付け孔を通らない形態の弾性部材からなる移動ロック部材を設けてなることを特徴とする付記３〜８のいずれか１項に記載の電線コード巻取り装置であるので、付記３〜８のいずれか１項に記載の発明の効果と同様な効果を奏するとともに次に述べるような効果を奏する。
すなわち、
移動ロック部材を抜止めストッパーとともに潜らせループを潜らせて、機器側紐通し取付け孔に通し取り付けた一本紐部材からなる取付け手段の、機器側紐通し取付け孔部分からコード側取付け手段支持部までの取付け手段の距離を、移動ロック部材の位置を調節して好みの位置でロック状態とすることができるので、好適な距離（長さ）に簡単にできるという効果を奏する。
＜付記１０記載の発明の効果＞
巻取り装置と一体とした、ネックストラップの略全部を付勢巻取りするネックストラップ付勢巻取り装置を設けてなることを特徴とする付記１〜９のいずれか１項に記載の電線コード巻取り装置であるので、付記１〜９のいずれか１項に記載の発明の効果と同様な効果を奏するとともに次に述べるような効果を奏する。
すなわち、
ネックストラップを引き出し首にかけることによって、巻取り装置および他方側電線コードの重みを首で受け止めるようにして、耳に装着したイヤホンへの荷重を軽減できるとともに、携行時ないし使用しないときは、ネックストラップはネックストラップ巻取り装置に略全部巻き戻し収納して、邪魔にならない形態とできるという効果を奏する。
＜付記１１記載の発明の効果＞
巻取り付勢手段により付勢巻取り動作をするリールを備え、一方の側に一方側コード引き出し部を有し、他方の側に他方側コード引き出し部を有してなる巻取り装置に巻き取られて使用される電線コードであって、
一方側の先端側に電子機器装置の機器側接続端子に接続されるコード側接続端子を取付ける仕様の電線コードと、
この電線コードの前記コード側接続端子から離れた距離Ｌ位置に固定されて設けられた、あるいは移動可能で好みの位置で固定状態とできるコード側取付け手段支持部と、
このコード側取付け手段支持部に設けられた、あるいは添付されて前記コード側取付け手段支持部に後付で取り付けることができる形態の、前記電線コードを前記電子機器装置の機器側取付け部に取付け状態とするための取付け手段と、
前記距離Ｌからなる機器接続負荷無しコード部分とからなるとともに、
前記機器側接続端子に前記コード側接続端子を接続し、かつ、前記機器側取付け部に前記取付け手段を取付けた状態にあっては、前記距離Ｌと前記機器側取付け部から前記コード側取付け手段支持部までの前記取付け手段の距離Ｓの関係が、引っ張り負荷を加えても常に前記取付け手段に負荷がかり、前記機器接続負荷無しコード部分およびコード側接続端子には前記引張り負荷がかからない距離関係である、あるいは前記負荷がかからない距離関係にできるものであることを特徴とする巻取り装置用電線コードであるので、巻取り装置に巻き取らせた形態において、付記１記載の電線コード巻取り装置の発明と同様な効果を奏する。
＜付記１２記載の発明の効果＞
電子機器装置の機器側取付け部が紐を通すための機器側紐通し取付け孔であり、取付け手段が紐部材であって、前記機器側紐通し取付け孔に前記紐部材を折り合わせ形態で通して、通り抜けた部分で潜らせループを形成し、この潜らせループに止め手段を通して前記紐部材を前記機器側紐通し取付け孔から抜けないように取付け、かつ、広げた前記潜らせループから前記止め手段を外すことができるものであることを特徴とする付記１１記載の巻取り装置用電線コードであるので、巻取り装置に巻き取らせた形態において、付記１１記載の発明と同様な効果を奏するとともに、付記２記載の電線コード巻取り装置の発明と同様な効果を奏する。
＜付記１３記載の発明の効果＞
電子機器装置の機器側取付け部が紐を通すための機器側紐通し取付け孔であり、取付け手段が他方をコード側取付け手段支持部に固定された非ループの一本紐部材、その先端側に設けられた前記機器側紐通し取付け孔を通らない形態の抜止めストッパーとからなるとともに、前記機器側紐通し取付け孔に前記一本紐部材を折り合わせ形態で通して、通り抜けた部分で潜らせループを形成し、この潜らせループに前記抜止めストッパーを潜らせ通した状態として、前記潜らせループを絞めることによって該抜止めストッパーが該潜らせループから抜けない締め状態として取付けることを特徴とする付記１１に記載の巻取り装置用電線コードであるので、巻取り装置に巻き取らせた形態において、付記１１に記載の発明と同様な効果を奏するとともに、付記３に記載の電線コード巻取り装置の発明と同様な効果を奏する。
＜付記１４記載の発明の効果＞
電子機器装置の機器側取付け部が紐を通すための機器側紐通し取付け孔であり、コード側取付け手段支持部に紐を通すためのコード側紐通し取付け孔を設け、取付け手段を一本紐部材、この一本紐部材の一方の端側に設けられた前記機器側紐通し取付け孔を通らない形態である一方の抜止めストッパー、他方の端側に設けられた前記コード側紐通し取付け孔を通らない形態である他方の抜止めストッパーとからなるとともに、前記機器側紐通し取付け孔に前記一本紐部材を折り合わせ形態で通して、通り抜けた部分で一方の潜らせループを形成し、この一方の潜らせループに前記一方の抜止めストッパーを潜らせ通した状態として、前記一方の潜らせループを絞めることによって該一方の抜止めストッパーが該一方の潜らせループから抜けない締め状態として取付け、前記機器側紐通し取付け孔に前記一本紐部材を折り合わせ形態で通して、通り抜けた部分で他方の潜らせループを形成し、この他方の潜らせループに前記他方の抜止めストッパーを潜らせ通した状態として、前記他方の潜らせループを絞めることによって該他方の抜止めストッパーが該他方の潜らせループから抜けない締め状態として取付けることを特徴とする付記１１に記載の巻取り装置用電線コードであるので、巻取り装置に巻き取らせた形態において、付記１１に記載の発明と同様な効果を奏するとともに、付記４に記載の電線コード巻取り装置の発明と同様な効果を奏する。
＜付記１５記載の発明の効果＞
コード側取付け手段支持部が電線コードに移動可能形態で取付けられ、かつ、好みの位置に固定状態とするための固定機構を備えてなる、あるいは摩擦移動できかつ弾性締め付け力で固定状態となる弾性締め付け部材からなるコード側取付け手段支持部であることを特徴とする付記１１〜１４のいずれか１項に記載の巻取り装置用電線コードであるので、巻取り装置に巻き取らせた形態において、付記１１〜１４のいずれか１項に記載の発明と同様な効果を奏するとともに、付記５に記載の電線コード巻取り装置の発明と同様な効果を奏する。
＜付記１６記載の発明の効果＞
コード側取付け手段支持部が電線コードを通すコード通し筒状形態の第１の連結部品と、この第１の連結部品と連結される第２の連結部品とからなって、前記第１の連結部品は雄ネジ部を有しかつ該雄ネジ部の先方に複数の締め付け片を設けた構成とされ、前記第２の連結部品は前記雄ネジ部が螺合する雌ネジ部を有しかつ該雌ネジ部の先方に前記締め付け片が入って進行するに伴って該締め付け移動するテーパー部を設けた構成とされ、前記雄ネジ部と雌ネジ部の螺合を進行させて前記締め付け片による前記電線コードを締め付けによって、前記コード側取付け手段支持部が前記電線コードを移動できないように固定状態にできるようにしたことを特徴とする付記１１〜１５のいずれか１項に記載の巻取り装置用電線コードであるので、巻取り装置に巻き取らせた形態において、付記１１〜１５のいずれか１項に記載の発明と同様な効果を奏するとともに、付記６に記載の電線コード巻取り装置の発明と同様な酷かを奏する。
＜付記１７記載の発明の効果＞
電線コードの一方の端側にコード側接続端子を設け、前記電線コードの他方の端側にイヤホンあるいはマイク付きイヤホンを設けてなることを特徴とする付記１１〜１６のいずれか１項に記載の巻取り装置用電線コードであるので、巻取り装置に巻き取らせた形態において、付記１１〜１６のいずれか１項に記載の発明と同様な効果を奏するとともに、付記８に記載の電線コード巻き取り装置の発明と同様な効果を奏する。
＜付記１８記載の発明の効果＞
取付け手段がその先端側に機器側紐通し取付け孔を通らない形態の抜止めストッパーを備えた非ループの一本紐部材であり、かつ、この一本紐部材を該一本紐部材よりも細い弾性紐通し孔に通して移動自在に取り付けられるとともに、好みの位置に弾性力により摩擦止まり形態とできる、前記機器側紐通し取付け孔を通らない形態の弾性部材からなる移動ロック部材を設けてなることを特徴とする１１〜１７のいずれか１項に記載の巻取り装置用電線コードであるので、巻取り装置に巻き取らせた形態において、付記１１〜１７のいずれか１項に記載の発明と同様な効果を奏するとともに、付記９に記載の電線コード巻取り装置の発明と同様な効果を奏する。
【産業上の利用可能性】
【００４０】
本発明は、主に巻取り式イヤホン、弱電線コード、リールを製造する産業で利用される。
【符号の説明】
【００４１】
１：電線コード巻取り装置、
２：巻取り付勢手段、
３：リール、
４：一方側コード引き出し部、
５：他方側コード引き出し部、
６：巻取り装置、
７：一方側電線コード、
８：他方側電線コード、
９：電子機器装置、
１０：機器側接続端子、
１１：コード側接続端子、
１２：コード側取付け手段支持部、
１３：抜止めストッパー、
１４：機器側取付け部、
１６：一本紐部材、
１７：取付け手段、
１８：移動ロック部材、
１９：機器接続負荷無しコード部分、
２０：通話ＯＮ・ＯＦＦボタン、
２１：スイッチボタン付きイヤホン、
２２：イヤホン、
２３：クリップ、
２４：マイク、
２５：イヤホン線、
２６：イヤホン線、
２７：マイク線、
２８：線分離通し駒、
２９：潜らせループ、
３１：通話切替手段、
３２：端子筐体、
３３：端子部分、
３４：端子接続部位、
３５：電線部位、
３６：押し出しスプリング、
３７：スライド接続部、
３９：巻取り装置用電線コード、
４２：マイク、
４３：イヤホン、
４４：取付け手段、
４５：抜止めストッパー、
４６：コード側接続端子、
４７：電線コード巻取り装置、
４８：紐通し取付け孔、
４９：取付け体、
５０：ストラップ、
５１：ネックストラップ、
５４ａ、５４ｂ：コード側紐通し取付け孔、
５５ａ、５５ｂ：抜止めストッパー、
５６：取付け手段、
５７：取付け手段、
５８：電線コード巻取り装置、
６０：紐通し孔、
６１ａ、６１ｂ：抜止めストッパー、
６２：一本紐部材、
６３：取付け手段、
６４ａ、６４ｂ：抜止めストッパー、
６５：一本紐部材、
６６：取付け手段、
６７：一本紐部材、
６８：抜止め部材、
６９：抜止めストッパー、
７０：紐通し孔、
７１ａ、７１ｂ：切り込み、
７２：抜止めストッパー、
７３：取付け手段、
７５ａ、７５ｂ：雌連結パーツ、
７６：取付け手段、
７７：取付け手段、
７８：電線コード巻取り装置、
７９：雄連結パーツ、
８０：ネックストラップ、
８２：ループ紐、
８３：引輪、
８４：抜止め部材、
８５：連結小ループ、
８６：ループ紐、
８７：連結取付け部材、
８８：取付け手段、
８９：電線コード巻取り装置、
９１：開口、
９２：筒部分、
９３：開閉棒部材、
９４：指かけ突起、
９５：リング、
９７：コード側紐通し取付け孔、
９８：ネックストラップ付勢巻取り装置、
９９：電線コード巻取り装置、
１００：筐体、
１０１：ロック・ロック解除ボタン、
１０２：ネックストラップ、
１０４：ループ紐、
１０５：雌連結パーツ、
１０６：取付け手段、
１０７：ループ紐、
１０８：雄連結パーツ、
１０９：取付け手段、
１１０：電線コード巻取り装置、
１１２：補強コード、
１１３：取付け手段、
１１４：電線コード巻取り装置、
１１５：一本紐部材、
１１７：電線コード巻取り装置、
１１８：巻取り装置、
１１９：耳掛け部、
１２０：イヤホン、
１２１：巻取り装置、
１２２：耳掛け部、
１２３：イヤホン、
１２４：他方側電線コード、
１２５：コード側接続端子、
１２６：一方側電線コード、
１２７：ロック・ロック解除ボタン、
１２８：ロック・ロック解除ボタン、
１３０：コード通し口、
１３１：コード通し口、
１３３：支持部本体、
１３４：溝、
１３５：第１のパーツ、
１３６：支持部本体、
１３７：溝、
１３８：第２のパーツ、
１３９：コード側取付け手段支持部、
１４０：コード側紐通し取付け孔、
１４１：１本紐、
１４２ａ、１４２ｂ：抜け止めストッパー、
１４３、１４３ａ、１４３ｂ、１４３ｃ：取付け手段、
１４５：ヒンジ部、
１４６：嵌合爪、
１４７：嵌合溝、
１４８：コード側取付け手段支持部、
１５０：コード通し孔、
１５１：駒本体、
１５２：押し込みボタン、
１５３：ボタン可動孔、
１５４：圧縮コイルばね、
１５５：挟持孔、
１５６：コード側取付け手段支持部、
１５７：コード側紐通し取付け孔、
１５８：コード側取付け手段支持部、
１６０：コード通し孔、
１６１：駒本体、
１６２：ネジ孔、
１６３：コード抑え片、
１６４：ボルト、
１６５：コード側取付け手段支持部、
１６８：第１の連結部品、
１６９：第２の連結部品、
１７０：雄ネジ部、
１７１：締め付け片、
１７２：雌ネジ部、
１７３：テーパー部、
１７４：コード側取付け手段支持部、
１７７：コード側取付け手段支持部、
１７８：弾性締め付けコード通し孔、
１８０：ロック・ロック解除ボタン、
１８１：巻取り装置、
１８２：電線コード巻取り装置、
１８５：携帯電話収納具、
１８６：収納部、
１８７：立ち上げ壁、
１８８：切り込み、
１８９：両面粘着シート、
１９０：掛け棒、
１９２：電線コード巻取り装置、
１９３：紐保持部材、
１９４：ＵＳＢ端子、
１９５：粘着面、
２００：携帯電話伏せ置き台、
２０１：伏せ置き部、
２０３：電線コード巻取り装置。
【図１】
0005580161.tif 000002
【図２】
0005580161.tif 000003
【図３】
0005580161.tif 000004
【図４】
0005580161.tif 000005
【図５】
0005580161.tif 000006
【図６】
0005580161.tif 000007
【図７】
0005580161.tif 000008
【図８】
0005580161.tif 000009
【図９】
0005580161.tif 000010
【図１０】
0005580161.tif 000011
【図１１】
0005580161.tif 000012
【図１２】
0005580161.tif 000013
【図１３】
0005580161.tif 000014
【図１４】
0005580161.tif 000015
【図１５】
0005580161.tif 000016
【図１６】
0005580161.tif 000017
【図１７】
0005580161.tif 000018
【図１８】
0005580161.tif 000019
【図１９】
0005580161.tif 000020
【図２０】
0005580161.tif 000021
【図２１】
0005580161.tif 000022
【図２２】
0005580161.tif 000023
【図２３】
0005580161.tif 000024
【図２４】
0005580161.tif 000025
【図２５】
0005580161.tif 000026
【図２６】
0005580161.tif 000027